(57)【要約】【課題】  より付加価値の高い牡蠣を提供する。【解決手段】  本発明の牡蠣の出荷用前処理剤は、ドナリエラ属の藻類を含むことを特徴とする。本発明の牡蠣の出荷の前処理方法は、前記前処理剤を、出荷前の牡蠣に摂取させることを特徴とする。本発明の牡蠣への着色方法は、前記前処理剤を、出荷前の牡蠣に摂取させることを特徴とする。本発明の牡蠣の製造方法は、前記前処理方法または前記着色方法を、牡蠣に施すことを特徴とする。本発明の牡蠣は、前記製造方法を用いて得られることを特徴とする。  本発明によれば、出荷前の牡蠣に前処理を施すことで、牡蠣にカロテノイドを蓄積させることができる。このため、牡蠣の身を赤色に着色させることができる。これにより、見た目にインパクトを与え、食欲をそそることができ、且つカロテンによる栄養価を向上することができ、牡蠣の付加価値を高めることができる。【選択図】なし【特許請求の範囲】
【請求項１】
ドナリエラ属（Dunaliella）の藻類を含むことを特徴とする、牡蠣の出荷用前処理剤。
【請求項２】
前記ドナリエラ属の藻類が、Dunaliella salinaである、請求項１記載の前処理剤。
【請求項３】
前記牡蠣が、マガキ属（Crassostrea）である、請求項１記載の前処理剤。
【請求項４】
請求項１から３のいずれか一項に記載の前処理剤を、出荷前の牡蠣に摂取させることを特徴とする、牡蠣の出荷の前処理方法。
【請求項５】
請求項１から３のいずれか一項に記載の前処理剤を、出荷前の牡蠣に摂取させることを特徴とする、牡蠣への着色方法。
【請求項６】
請求項４に記載の前処理方法または請求項５に記載の着色方法を、牡蠣に施すことを特徴とする、牡蠣の製造方法。
【請求項７】
請求項６に記載の方法を用いて得られる牡蠣。
【発明の詳細な説明】
【技術分野】
【０００１】
本発明は、牡蠣の出荷用前処理剤、牡蠣の出荷の前処理方法、牡蠣への着色方法、牡蠣の製造方法、および前記牡蠣の製造方法を用いて得られる牡蠣に関する。
【背景技術】
【０００２】
牡蠣は、海のミルクとも言われ、広島県および宮城県等で盛んに養殖が行われている主要な養殖魚介類の一つである。
【０００３】
通常、牡蠣の養殖は、幼生を貝殻に付着させることで採苗し、前記貝殻を養殖用筏に吊るした状態で海中にて育成することにより行われる。海中で育成した牡蠣は、海中から収穫し、殻に付着した泥等を機械により洗浄し、さらに、身の中の砂等を除去するため、清浄な海水プールに一昼夜つけて浄化を行う（特許文献１）。そして、洗浄および浄化後の牡蠣が、食用牡蠣として出荷される。
【先行技術文献】
【特許文献】
【０００４】
【特許文献１】特開２００３−２５９７５５号公報
【発明の概要】
【発明が解決しようとする課題】
【０００５】
本発明は、より付加価値の高い牡蠣を提供することを目的とする。
【課題を解決するための手段】
【０００６】
前記目的を達成するために、本発明の牡蠣の出荷用前処理剤は、ドナリエラ属（Dunaliella）の藻類を含むことを特徴とする。
【０００７】
本発明の牡蠣の出荷の前処理方法は、前記本発明の牡蠣の出荷用前処理剤を、出荷前の牡蠣に摂取させることを特徴とする。
【０００８】
本発明の牡蠣への着色方法は、前記本発明の牡蠣の出荷用前処理剤を、出荷前の牡蠣に摂取させることを特徴とする。
【０００９】
本発明の牡蠣の製造方法は、前記本発明の前処理方法または前記本発明の着色方法を、牡蠣に施すことを特徴とする。
【００１０】
本発明の牡蠣は、前記本発明の牡蠣の製造方法を用いて得られることを特徴とする。
【発明の効果】
【００１１】
本発明によれば、出荷前の牡蠣に前処理を施すことで、牡蠣に色素（例えば、カロテノイド）を蓄積させ、牡蠣の身を赤色に着色することができる。このようにして得られた牡蠣は、見た目にインパクトを与え、食欲をそそることができ、且つ前記色素による栄養価も向上できる。このため、本発明によれば、牡蠣の付加価値を高めることができる。
【発明を実施するための形態】
【００１２】
本発明の牡蠣の出荷用前処理剤は、例えば、前記ドナリエラ属の藻類が、Dunaliella salinaである。
【００１３】
本発明の牡蠣の出荷用前処理剤は、例えば、前記牡蠣が、マガキ属（Crassostrea）である。
【００１４】
本明細書で使用する用語は、特に言及しない限り、当該技術分野で通常用いられる意味で用いることができる。
【００１５】
以下に、本発明について、詳細に説明する。
【００１６】
（牡蠣の出荷用前処理剤）
本発明の前処理剤は、前述のように、ドナリエラ属の藻類を含むことを特徴とする。本発明の前処理剤は、ドナリエラ属の藻類を含むことが特徴であり、その他の構成及び条件は、特に制限されない。
【００１７】
本発明者らは、前記ドナリエラ属の藻類を出荷前の牡蠣に人工的に摂取させることにより、β−カロテン等のカロテノイドを牡蠣に蓄積させることができ、これによって、牡蠣の身が着色し、且つ食品機能性も付加されるとの新たな知見を得て、本発明を確立するに至った。
【００１８】
本発明の前処理剤において、前記ドナリエラ属の藻類（以下、「ドナリエラ属」ともいう）は、特に制限されない。前記ドナリエラ属は、真核藻類である緑藻の一種である。前記ドナリエラ属は、例えば、Dunaliella salina、Dunaliella bardawil、Dunaliella acidophila、Dunaliella bioculata、Dunaliella lateralis、Dunaliella maritima、Dunaliella minuta、Dunaliella parva、Dunaliella peircei、Dunaliella polymorpha、Dunaliella primolecta、Dunaliella pseudosalina、Dunaliella quartolecta、Dunaliella tertiolecta、Dunaliella viridis等があげられる。前記ドナリエラ属は、好ましくは、Dunaliella salinaとDunaliella bardawilである。前記ドナリエラ属は、好ましくは、Dunaliella salinaである。
【００１９】
本発明の前処理剤は、前記ドナリエラ属を、例えば、一種類のみ含んでもよいし、二種類以上を併用して含んでもよく、その種類の数は、特に制限されない。
【００２０】
本発明の前処理剤において、前記ドナリエラ属は、例えば、自然界から採取したものでもよく、人工的に培養された培養物でもよく、またはこれらを加工等したものでもよい。前記ドナリエラ属は、例えば、培養物であることが好ましい。
【００２１】
前記ドナリエラ属を培養する場合、その培養条件は、特に制限されず、例えば、培地、温度、光強度、培養時間等は、適宜設定できる。
【００２２】
前記培地は、特に制限されず、例えば、ＡＴＣＣ  １１７４  ＤＡ培地等のＤＡ培地、ｆ／２、ＤＶ  ｍｅｄｉｕｍ、２ＡＳＷ、ＡＪＳ等が使用できる。
【００２３】
前述のように、本発明の前処理剤によれば、前記ドナリエラ属に由来するカロテノイド等の色素を牡蠣に蓄積させて、身を着色し、且つ、栄養価を高めることができる。このため、本発明の前処理剤において、前記ドナリエラ属は、例えば、培養により前記色素を蓄積させたものであることが好ましい。この場合、前記ドナリエラ属は、例えば、本培養後、さらに、前記色素の蓄積を誘導するための誘導培養を行うことが好ましい。前記誘導培養は、例えば、誘導物質を培地に添加することにより行うことができる。前記誘導物質は、例えば、誘導対象の色素の種類、前記ドナリエラ属の種類等によって、適宜、設定できる。前記誘導物質としては、例えば、酢酸ナトリウム、硫酸鉄、サリチル酸等の植物ホルモン等があげられ、いずれか一種類を使用しても、二種類以上を併用してもよい。前記誘導物質の組合せとしては、例えば、酢酸ナトリウムと硫酸鉄との組合せ、酢酸ナトリウムと硫酸鉄とサリチル酸との組合せ等が例示できる。前記カロテノイドを誘導する場合、例えば、酢酸ナトリウムと硫酸鉄との組合せが好ましい。前記誘導物質を添加する培地は、特に制限されず、例えば、前述のようなＤＡ培地等があげられる。
【００２４】
前記培地における誘導物質の終濃度は、特に制限されない。前記誘導物質として酢酸ナトリウムおよび硫酸鉄を併用する場合、酢酸ナトリウムの終濃度は、例えば、２０〜２００ｍｍｏｌ／Ｌが好ましく、より好ましくは６０〜７０ｍｍｏｌ／Ｌであり、硫酸鉄の終濃度は、例えば、２００〜１，０００μｍｏｌ／Ｌが好ましく、より好ましくは４００〜５００μｍｏｌ／Ｌである。
【００２５】
前記ドナリエラ属の培養温度は、特に制限されず、例えば、１５〜３５℃、２０〜２５℃である。
【００２６】
前記ドナリエラ属の培養は、例えば、光照射下で行うことが好ましい。培養時の光強度は、特に制限されず、例えば、１０〜５００μｍｏｌ  ｐｈｏｔｏｎｓ／ｍ２／ｓが好ましく、より好ましくは５０〜２００μｍｏｌ  ｐｈｏｔｏｎｓ／ｍ２／ｓである。
【００２７】
前記ドナリエラ属の培養において、培養時間は、特に制限されない。前記本培養は、例えば、１〜３０日が好ましく、より好ましくは１０〜２０日であり、前記誘導培養は、例えば、１〜３０日が好ましく、より好ましくは５〜１０日である。
【００２８】
本発明の前処理剤において、前記ドナリエラ属は、例えば、生きた状態で含まれてもよいし、粉末等に加工した状態で含まれてもよい。前者の場合、例えば、前記ドナリエラ属を培養し、回収した培養物をそのまま、本発明の前処理剤として使用することができる。後者の場合、例えば、前記ドナリエラを培養し、回収した培養物を乾燥させ、またはさらに粉末化して、本発明の前処理剤として使用することもできる。本発明の前処理剤は、例えば、液体でも固体でもよい。前者の場合、例えば、前記ドナリエラ属を含む液体があげられ、具体例として、前記ドナリエラ属を含む培地、前記ドナリエラ属を含む海水等があげられる。前者は、例えば、そのまま使用してもよいし、海水に添加して使用してもよい。後者の場合、例えば、海水に添加して使用することができる。
【００２９】
本発明の前処理剤において、前記ドナリエラ属の含有量は、特に制限されない。前記ドナリエラ属がウェット状態の場合、本発明の前処理剤における前記ドナリエラ属の含有量は、例えば、０．０１億〜１０億細胞／Ｌが好ましく、より好ましくは０．１億〜１億細胞／Ｌである。前記ドナリエラ属の含有量は、例えば、前記ドナリエラ属１種類の含有量でもよいし、前記ドナリエラ属を２種類以上併用する場合は、前記複数のドナリエラ属の合計の含有量でもよい。
【００３０】
本発明の前処理剤は、例えば、必要に応じて、添加剤を含んでもよく、前記添加剤は、例えば、食品衛生学上許容される添加剤が好ましい。前記添加剤は、例えば、保存剤、酸化防止剤、ｐＨ調整剤等があげられる。本発明において、前記添加剤の配合量は、前記前処理剤の機能を妨げるものでなければ、特に制限されない。
【００３１】
本発明の前処理剤を適用する牡蠣の種類は、特に制限されない。前記牡蠣は、例えば、マガキ属（Crassostrea）、イタボガキ属（Ostrea）等があげられる。前記マガキ属は、例えば、マガキ（Crassostrea gigas）、イワガキ（Crassostrea nippona）、スミノエガキ（Crassostrea ariakesis)、シカメガキ（Crassostrea sikamea)等があげられ、イタボガキ属としては、例えば、イタボガキ（Ostrea denselamellosa)、ヨーロッパヒラガキ（Ostrea edulis)等があげられる。
【００３２】
本発明の前処理剤は、育成後の牡蠣に摂取させることが好ましく、例えば、後述するように、育成後の牡蠣の浄化工程の前または後、もしくは浄化工程と同時に行うことができる。
【００３３】
本発明の前処理剤の適用方法は、特に制限されず、例えば、育成後の牡蠣を入れた水槽に投入すればよい。
【００３４】
本発明の前処理剤を摂取させることにより、前述のように、前記牡蠣に色素が蓄積し、着色および食品機能性の付与が生じる。前記色素は、例えば、カロテノイドがあげられる。前記カロテノイドは、例えば、βカロテン、アスタキサンチン、フコキサンチン、リコペン、ルテイン等があげられる。前記カロテノイドは、例えば、βカロテンである。
【００３５】
本発明の前処理剤により前処理した牡蠣において、色素の蓄積部位は、例えば、身、中腸腺等があげられる。
【００３６】
本発明の前処理剤によれば、例えば、前記牡蠣への着色が可能であり、さらに食品機能性の付与も可能である。
【００３７】
（牡蠣の出荷の前処理方法）
本発明の前処理方法は、前記本発明の前処理剤を、出荷前の牡蠣に摂取させることを特徴とする。本発明の前処理方法は、前記本発明の前処理剤を、育成後の牡蠣に摂取させることが特徴であって、その他の工程および条件は、特に制限されない。本発明の前処理剤は、前述の通りであり、本発明の前処理方法は、前記本発明の前処理剤等の記載を援用できる。
【００３８】
牡蠣の養殖方法は、一般的に、幼生を貝殻に付着させる工程（採苗工程）、前記貝殻を養殖用筏に吊るした状態で海中にて育成する工程、育成した牡蠣を収穫して洗浄する洗浄工程、身の中の砂等を除去するため、洗浄後の牡蠣を海水に浸漬して浄化する浄化工程を含む。そして、洗浄および／または浄化後の牡蠣が、出荷される。本発明の前処理方法において、牡蠣に本発明の前処理剤を摂取させる時期は、特に制限されないが、例えば、牡蠣の育成工程後であり、具体的には、牡蠣の浄化工程の前または後、もしくは浄化工程と同時に行うことができる。
【００３９】
前記本発明の前処理方法によって着色した牡蠣は、例えば、市場に出た時点において、色素が身に保持されて着色が維持されていることが好ましい。このため、本発明の前処理方法において、前記本発明の前処理剤は、例えば、出荷の１２〜１９２時間前が好ましく、より好ましくは４８〜９６時間前に、牡蠣に摂取させることが好ましい。
【００４０】
本発明の前処理方法において、前記前処理剤を牡蠣に摂取させる方法は、特に制限されず、例えば、前記前処理剤を含む液体（以下、「前処理液」ともいう）で牡蠣を処理することにより行える。具体的には、例えば、水槽中、前記前処理液に牡蠣を入れ、所定時間放置することにより行える。
【００４１】
前記液体の種類は、特に制限されず、例えば、海水である。前記前処理液における前記前処理剤の含有量は、特に制限されない。前記前処理液に含まれる前記前処理剤の含有量は、前記ドナリエラ属を基準とした場合、例えば、牡蠣１個体に対する前記ドナリエラ属の量が、０．１億〜２０億細胞が好ましく、より好ましくは０．５億〜３億細胞である。
【００４２】
前記前処理液による牡蠣の処理条件は、特に制限されず、例えば、前記前処理剤に含まれるドナリエラ属の種類、適用対象の牡蠣の種類に応じて、適宜設定できる。牡蠣の処理温度は、例えば、特に制限されず、例えば、５〜３０℃が好ましく、より好ましくは１０〜２０℃である。牡蠣の処理時間は、６〜１９２時間が好ましく、より好ましくは２４〜７２時間である。前記前処理液による牡蠣の処理は、例えば、エアレーション下で行うことが好ましい。
【００４３】
前記前処理液は、例えば、所定時間ごとに新しいものに代えてもよいし、所定時間ごとに前記前処理剤を添加してもよい。前記前処理液の交換の場合、例えば、６〜１４４時間ごとが好ましく、より好ましくは１２〜３６時間ごとであり、また、前記前処理剤の添加の場合、例えば、６〜１４４時間ごとが好ましく、より好ましくは１２〜３６時間ごとである。
【００４４】
（牡蠣への着色方法）
本発明の着色方法は、前記本発明の前処理剤を、出荷前の牡蠣に摂取させることを特徴とする。本発明の着色方法は、前記本発明の前処理剤を、出荷前の牡蠣に摂取させることが特徴であって、その他の工程および条件は、特に制限されない。本発明の着色方法は、前記本発明の前処理剤および前記本発明の前処理方法等の記載を援用できる。
【００４５】
（牡蠣の製造方法）
本発明の牡蠣の製造方法は、前記本発明の前処理方法または前記本発明の着色方法を、牡蠣に施すことを特徴とする。本発明の牡蠣の製造方法は、前記本発明の前処理剤を、出荷前の牡蠣に摂取させることが特徴であって、その他の工程および条件は、特に制限されない。本発明の牡蠣の製造方法は、前記本発明の前処理剤および前記本発明の前処理方法等の記載を援用できる。
【００４６】
（牡蠣）
本発明の牡蠣は、前記本発明の牡蠣の製造方法を用いて得られることを特徴とする。本発明の牡蠣は、前記本発明の牡蠣の製造方法を用いて得られることが特徴であって、その他の構成および条件は、特に制限されない。
【実施例】
【００４７】
つぎに、本発明の実施例について説明する。ただし、本発明は、下記実施例により制限されない。市販の試薬は、特に示さない限り、それらのプロトコルに基づいて使用した。
【００４８】
［実施例１］
本発明の前処理剤が、牡蠣に着色および食品機能性を付与することを確認した。
【００４９】
まず、藻類としてDunaliella salina細胞（ＮＩＥＳ−２２５７  国立環境研究所から分譲）を使用した。これをＤＡ培地（ＡＴＣＣ  １１７４  ＤＡ  ｍｅｄｉｕｍ）に投与し、スターラーバーを用いて５０ｒｐｍで撹拌しながら２週間、本培養を行った。本培養後、前記ＤＡ培地に、硫酸鉄を終濃度４５０μｍｏｌ／Ｌ、酢酸ナトリウムを終濃度６７．５ｍｍｏｌ／Ｌとなるように添加し、さらに約１週間培養し、カロテノイドの誘導を行った。培養条件は、温度２０〜２２℃、光強度５０〜１００μｍｏｌ  ｐｈｏｔｏｎｓ／ｍ２／ｓとした。
【００５０】
次に、マガキ（Crassostrea gigas）８個体を、ドナリエラ添加区（４個体）および対照区（４個体）に分けた。各区を、それぞれ、６Ｌの人工海水（株式会社日本海水社製）を入れた水槽に投入し、２０℃に調整し、エアレーションを開始した。そして、ドナリエラ添加区の水槽に対して、エアレーション開始０時間および７時間後に、２億個のDunaliella salina細胞を含む培養液２Ｌを添加した。一方、前記対照区の水槽には、何も添加しなかった。
【００５１】
そして、エアレーション開始から２４時間後、マガキを採取し、殻を開け、身の表面をデジタルカメラで撮影した。画像データについて、画像処理ソフトウェアＩｍａｇｅＪ（アメリカ国立衛生研究所製）を用いて、Ｌ＊ａ＊ｂ＊表色系における色度ａ値を測定した。そして、各区について、身表面における色度ａ値の平均値を算出し、身の赤みを確認した。
【００５２】
その結果、対照区マガキの平均ａ値は３．５であるのに対し、ドナリエラ添加区の平均ａ値は７．２であり、赤みが増していた。このことから、Dunaliella salina細胞を摂取させることにより、マガキが着色されることが示された。
【００５３】
次に、前記各区のマガキの身を、中腸腺と中腸腺以外の身とに分けた。中腸腺と中腸腺以外の身のそれぞれを凍結乾燥した後、βカロテンを抽出し、逆相カラムを備えた液体クロマトグラフィー（商品名ＬＣ２０００Ｐｌｕｓ、日本分光社製）によりβカロテンを定量した。βカロテンの抽出は、クロロホルムとメタノールを用いる常法により行った。
【００５４】
その結果、対照区のマガキから、βカロテンは検出されなかった。一方、ドナリエラ添加区は、中腸腺から１個体あたり平均２７３μｇのβカロテン、中腸腺以外の身から１個体あたり平均２．９μｇのβカロテンが検出された。このことから、Dunaliella salina細胞の添加により、マガキのβカロテン量を増加できることが確認され、特に、マガキの中腸腺において、βカロテン量が大きく増加することが確認された。
【００５５】
また、ドナリエラ添加区に使用した培養後のDunaliella salina細胞についても、マガキと同様にしてβカロテンを定量した。そして、Dunaliella salina細胞が有するβカロテン量から、水槽に投与した４億個のDunaliella salina細胞が有する全βカロテン量を算出し、この値を水槽に投入したマガキの個数（４個）で割ることにより、マガキ１個体に対するβカロテン量を算出した。この結果、ドナリエラ添加区の水槽に投入されたDunaliella salina細胞由来のβカロテンは、マガキ１個体あたり４４９μｇであった。すなわち、投入されたβカロテンのうち、約６１％がマガキに蓄積されていた。
【００５６】
［比較例１］
藻類としてHaematococcus pluvialis（ＮＩＥＳ−１４４  国立環境研究所から分譲）を使用した。これをＣ培地に投与し、４週間、本培養を行った。本培養後、前記Ｃ培地に、硫酸鉄を終濃度４５０μｍｏｌ／Ｌ、酢酸ナトリウムを終濃度４５ｍｍｏｌ／Ｌとなるように添加し、さらに、１週間培養し、アスタキサンチンの誘導を行った。培養条件は、温度２５℃、光強度約３０μｍｏｌ  ｐｈｏｔｏｎｓ／ｍ２／ｓとした。誘導の際は、光強度を約１４５μｍｏｌ  ｐｈｏｔｏｎｓ／ｍ２／ｓに変更した。
【００５７】
つぎに、実施例１と同様にして、マガキ（４個体）を、６Ｌの人工海水を入れた水槽に投入し、２０℃に調整し、エアレーションを開始した。そして、マガキ１個体あたり１×１０６細胞のHaematococcus pluvialisを、１週間にわたり１日１回、前記水槽に添加した。そして、実施例１と同様にして、マガキの身の色度ａ値の平均値を算出し、また、身全体に含まれるアスタキサンチンを、実施例１と同様にして測定した。
【００５８】
その結果、マガキの平均ａ値は３．４であり、この値は、前記実施例１における対象区マガキの平均ａ値の３．５と同程度であった。つまり、Haematococcus pluvialis細胞をマガキに摂取させても、身の赤色化は認められなかった。
【００５９】
また、水槽に投入されたHaematococcus pluvialis細胞由来のアスタキサンチンは、マガキ１個体あたり３，６８０μｇであった。しかし、マガキの中腸腺を含む身全体に含まれるアスタキサンチンは、１個体あたり平均０．６μｇであり、ほとんどマガキの身に蓄積されていないことがわかった。このことから、Haematococcus pluvialisをマガキに投与しても、着色および食品機能性が付与できないことが示された。
【００６０】
以上、実施形態および実施例を参照して本発明を説明したが、本発明は、上記実施形態および実施例に限定されるものではない。本発明の構成や詳細には、本発明のスコープ内で当業者が理解しうる様々な変更をすることができる。
【産業上の利用可能性】
【００６１】
以上のように、本発明によれば、出荷前の牡蠣に前処理を施すことで、牡蠣にカロテノイドを蓄積させることができる。
このため、本発明により、オイスターバー等において、見た目にインパクトがあり、抗酸化作用や、人体の粘膜や皮膚、免疫機能を正常に保ち、視力を維持する機能を持つビタミンＡの前駆体であるβカロテンを含有させた、新しいブランド牡蠣を提供できる。このため、本発明は、水産業の分野等において、極めて有用といえる。